(57)【要約】  腐食が従来よりも均一となり、また、腐食液供給管内の残留腐食液が流れ落ちる問題も解消できるようにしたシリンダ用腐食装置を提供する。  処理槽と、チャック手段と、少なくとも一つの腐食液供給管と、前記腐食液供給管に並列せしめられ、前記腐食液供給管から腐食液を吐出するための複数の吐出ノズルと、を含み、前記腐食液供給管の内部を通って吐出ノズルから吐出された前記腐食液を前記被処理シリンダの表面に当てて前記被処理シリンダの表面に腐食を施すようにしたシリンダ用腐食装置であって、前記吐出ノズルを水平方向に対して斜め上向きとし、前記吐出ノズルの吐出方向が、前記被処理シリンダの斜め下から前記被処理シリンダの回転中心に向かうようにされ、前記吐出ノズルが前記被処理シリンダの表面に対して近接離隔可能に設けられてなるようにした。
2015156054.tif 000002
【特許請求の範囲】
【請求項１】
処理槽と、被処理シリンダを回転可能に長手方向両端を把持して前記処理槽に収容するチャック手段と、前記被処理シリンダの長手方向外周面から所定距離をおいて設けられ、前記長手方向外周面に対して平行とされた少なくとも一つの腐食液供給管と、前記腐食液供給管に並列せしめられ、前記腐食液供給管から腐食液を吐出するための複数の吐出ノズルと、を含み、前記腐食液供給管の内部を通って吐出ノズルから吐出された前記腐食液を前記被処理シリンダの表面に当てて前記被処理シリンダの表面に腐食を施すようにしたシリンダ用腐食装置であって、
前記吐出ノズルを水平方向に対して斜め上向きとし、前記吐出ノズルの吐出方向が、前記被処理シリンダの斜め下から前記被処理シリンダの回転中心に向かうようにされ、前記吐出ノズルが前記被処理シリンダの表面に対して近接離隔可能に設けられてなることを特徴とするシリンダ用腐食装置。
【請求項２】
前記被処理シリンダの回転中心と前記吐出ノズルの吐出方向とを結んだ線が、前記被処理シリンダの回転中心からの鉛直線に対して４５°±１５°であることを特徴とする請求項１記載のシリンダ用腐食装置。
【請求項３】
前記複数の吐出ノズルが並列せしめられた腐食液供給管を、前記被処理シリンダの周方向に複数設け、複数の方向から前記被処理シリンダの回転中心に向かうように、前記腐食液が吐出されてなることを特徴とする請求項１又は２記載のシリンダ用腐食装置。
【請求項４】
前記腐食液供給管の全長が前記被処理シリンダの全長よりも長くされてなり、且つ前記腐食液供給管の先端部が排出口とされてなり、前記腐食液供給管の内部を通る腐食液のうち、前記吐出ノズルから吐出されなかった腐食液を前記排出口から排出してなることにより、前記腐食液供給管の内部を通る腐食液の流量を調節してなることを特徴とする請求項１〜３いずれか１項記載のシリンダ用腐食装置。
【請求項５】
請求項１〜４いずれか１項記載のシリンダ用腐食装置を用いて、前記被処理シリンダの表面に腐食を施すようにしたことを特徴とするシリンダ用腐食方法。
【請求項６】
請求項５記載のシリンダ用腐食方法により腐食されてなることを特徴とするシリンダ。
【発明の詳細な説明】
【技術分野】
【０００１】
本発明は、長尺状のシリンダ、例えばグラビア印刷に用いる中空円筒状のグラビアシリンダ（製版ロールとも呼ばれる）を作製するにあたって、版面形成用の版材である被処理シリンダに対して腐食を行うためのシリンダ用腐食装置に関する。
【背景技術】
【０００２】
グラビア印刷では、被処理シリンダに対し製版情報に応じた微小な凹部（セル）を形成して版面を製作し、当該セルにインキを充填して被印刷物に転写するものである。一般的なグラビアシリンダは、円筒状の鉄芯またはアルミ芯（中空ロール）を基材とし、当該基材の外周表面上に下地層や剥離層等の複数の層を形成し、その上に版面形成用の銅メッキ層（版材）を形成する。そしてこの銅メッキ層に露光、現像、腐食せしめてグラビアセルを形成し、その後グラビアシリンダの耐刷力を増すためのクロムメッキ等を施して製版（版面の製作）が完了する。【０００３】
シリンダ用腐食装置として、例えば特許文献１に記載の被製版ロールの腐食装置がある。この特許文献１の腐食装置は、被製版ロールの直径のいかんにかかわらずノズルと被製版ロールとの距離を一定寸法に確保して腐食液の露出金属面に当たる力を最適にしてサイドエッチを少なく抑えた網グラビア版を製版できるようにしたものである。【０００４】
しかしながら、特許文献１では、腐食液を噴射するノズルを水平ないし斜め下向きに被製版ロールに向けているため、腐食液の流れが悪く、腐食が不均一となるおそれがあった。また、ノズルを水平ないし斜め下向きとすると、重力により、腐食液供給管内の残留腐食液がポタポタとノズルから流れ落ちてしまい、被処理シリンダを汚してしまうという問題もあった。
【先行技術文献】
【特許文献】
【０００５】
【特許文献１】特開平９−２６８３８４
【特許文献２】ＷＯ２０１２／０４３５１５号公報
【発明の概要】
【発明が解決しようとする課題】
【０００６】
本発明は、上記従来技術の問題点に鑑みなされたもので、腐食が従来よりも均一となり、また、腐食液供給管内の残留腐食液が流れ落ちる問題も解消できるようにしたシリンダ用腐食装置を提供することを目的とする。
【課題を解決するための手段】
【０００７】
本発明のシリンダ用腐食装置は、処理槽と、被処理シリンダを回転可能に長手方向両端を把持して該処理槽に収容するチャック手段と、該被処理シリンダの長手方向外周面から所定距離をおいて設けられ、該長手方向外周面に対して平行とされた少なくとも一つの腐食液供給管と、該腐食液供給管に並列せしめられ、該腐食液供給管から腐食液を吐出するための複数の吐出ノズルと、を含み、該腐食液供給管の内部を通って吐出ノズルから吐出された該腐食液を該被処理シリンダの表面に当てて該被処理シリンダの表面に腐食を施すようにしたシリンダ用腐食装置であって、前記吐出ノズルを水平方向に対して斜め上向きとし、前記吐出ノズルの吐出方向が、前記被処理シリンダの斜め下から前記被処理シリンダの回転中心に向かうようにされ、前記吐出ノズルが前記被処理シリンダの表面に対して近接離隔可能に設けられてなることを特徴とする。【０００８】
このように、本発明では、前記吐出ノズルを水平方向に対して斜め上向きとし、前記吐出ノズルの吐出方向が、前記被処理シリンダの斜め下から前記被処理シリンダの回転中心に向かうようにされている。このため、被処理シリンダ表面上の腐食液の流れが良く、腐食が均一となる。また、重力により、腐食液供給管内の残留腐食液がポタポタとノズルから流れ落ちてしまい、被処理シリンダを汚すという問題も生じない。【０００９】
前記被処理シリンダとしては、グラビアシリンダ用の被処理シリンダが好適である。【００１０】
前記被処理シリンダの回転中心と前記吐出ノズルの吐出方向とを結んだ線が、前記被処理シリンダの回転中心からの鉛直線に対して４５°±１５°であるのが好ましい。【００１１】
前記複数の吐出ノズルが並列せしめられた腐食液供給管を、前記被処理シリンダの周方向に複数設け、複数の方向から前記被処理シリンダの回転中心に向かうように、前記腐食液が吐出されてなるのが好ましい。【００１２】
前記腐食液供給管の全長が前記被処理シリンダの全長よりも長くされてなり、且つ前記腐食液供給管の先端部が排出口とされてなり、前記腐食液供給管の内部を通る腐食液のうち、前記吐出ノズルから吐出されなかった腐食液を前記排出口から排出してなることにより、前記腐食液供給管の内部を通る腐食液の流量を調節してなるのがさらに好適である。【００１３】
本発明のシリンダ用腐食方法は、前記シリンダ用腐食装置を用いて、該被処理シリンダの表面に腐食を施すようにしたことを特徴とする。【００１４】
また、本発明のシリンダは、前記シリンダ用腐食方法により腐食されてなることを特徴とする。シリンダとしては、グラビアシリンダが好適である。【００１５】
本発明のシリンダ用腐食装置は、単独でも使用可能であるが、例えば特許文献２に開示されたような全自動グラビア製版用処理システムにおける腐食処理装置として、好適に使用できる。
【発明の効果】
【００１６】
本発明によれば、腐食が従来よりも均一となり、また、腐食液供給管内の残留腐食液が流れ落ちる問題も解消できるようにしたシリンダ用腐食装置を提供することができるという著大な効果を奏する。【００１７】
また、本発明のシリンダ用腐食装置を全自動グラビア製版用処理システムに組込んで使用すれば、腐食が従来よりも均一となり、また、腐食液供給管内の残留腐食液が流れ落ちる問題も解消できるようにした全自動グラビア製版用処理システムを提供することができるという効果も奏する。
【図面の簡単な説明】
【００１８】
【図１】本発明のシリンダ用腐食装置の一つの実施の形態を示す概略側面摘示図である。
【図２】本発明のシリンダ用腐食装置の一つの実施の形態を示す概略斜視摘示図である。
【図３】本発明のシリンダ用腐食装置の一つの実施の形態を示す概略模式図である。
【発明を実施するための最良の形態】
【００１９】
以下に本発明の実施の形態を添付図面に基づいて説明するが、図示例は例示的に示されたもので、本発明の技術的思想から逸脱しない限り種々の変形が可能なことは言うまでもない。【００２０】
図１及び図２において、符号１０は本発明のシリンダ用腐食装置の一つの実施の形態を示す。【００２１】
シリンダ用腐食装置１０は、処理槽１２と、被処理シリンダ１４を回転可能に長手方向両端を把持して該処理槽１２に収容するチャック手段１６と、該被処理シリンダ１４の長手方向外周面から所定距離をおいて設けられ、該長手方向外周面に対して平行とされた少なくとも一つの腐食液供給管１８（図示例では２つ）と、該腐食液供給管１８に並列せしめられ、該腐食液供給管１８から腐食液１９を吐出するための複数の吐出ノズル２０と、を含み、該腐食液供給管１８の内部を通って吐出ノズル２０から吐出された該腐食液１９を該被処理シリンダ１４の表面に当てて該被処理シリンダ１４の表面に腐食を施すようにしたシリンダ用腐食装置である。【００２２】
そして、前記吐出ノズル２０を水平方向に対して斜め上向きとし、前記吐出ノズル２０の吐出方向が、前記被処理シリンダ１４の斜め下から前記被処理シリンダ１４の回転中心に向かうようにされ、前記吐出ノズル２０が前記被処理シリンダ１４の表面に対して自動で近接離隔可能に設けられてなる。なお、チャック手段１６としては、特許文献１や特許文献２に記載された公知の機構を採用することができる。【００２３】
前記吐出ノズルを前記被処理シリンダ１４の表面に対して近接離隔可能に設ける構成としては、図１によく示される如く、支点２２を中心に前記腐食液供給管１８が回動可能とされており、前記被処理シリンダ１４の表面に対して近接離隔可能とされている。また、図１によく示されるように、前記腐食液供給管１８を回動せしめるための連結ロッド２３が設けられている。なお、図２の符号２１は、腐食液供給管１８を支持するフレームを示す。【００２４】
このようにして、被処理シリンダ１４の直径のいかんにかかわらず吐出ノズル２０と被処理シリンダ１４との距離を一定寸法に確保して腐食液の露出金属面に当たる力を最適にしてサイドエッチを少なく抑えたグラビアシリンダ（グラビア製版ロール）を作製することができる。【００２５】
そして、前記吐出ノズル２０を水平方向に対して斜め上向きとし、前記吐出ノズル２０の吐出方向が、前記被処理シリンダ１４の斜め下から前記被処理シリンダ１４の回転中心に向かうようにするにあたって、前記被処理シリンダ１４の回転中心と前記吐出ノズル２０の吐出方向とを結んだ線Ｏが、前記被処理シリンダ１４の回転中心からの鉛直線Ｐに対して４５°±１５°であるのが好適である。図示の例では、図１によく示される如く、前記被処理シリンダ１４の回転中心と前記吐出ノズル２０の吐出方向とを結んだ線Ｏが、前記被処理シリンダ１４の回転中心からの鉛直線Ｐに対して４５°（θ＝４５°）とした例を示した。【００２６】
また、前記複数の吐出ノズル２０が並列せしめられた腐食液供給管１８を、前記被処理シリンダ１４の周方向に複数設け（図示例では２つ）、複数の方向から前記被処理シリンダ１４の回転中心に向かうように、前記腐食液が吐出されてなるように構成されている。【００２７】
次に、本発明のシリンダ用腐食装置１０の腐食液供給管１８の実施の形態を図３に基づいて説明する。【００２８】
図３によく示される如く、前記腐食液供給管１８の全長が前記被処理シリンダ１４の全長よりも長くされてなり、且つ前記腐食液供給管１８の先端部２４が排出口２６とされてなり、前記腐食液供給管１８の内部を通る腐食液のうち、前記吐出ノズル２０から吐出されなかった腐食液を前記排出口２６から排出してなる構成とされている。このように、前記吐出ノズル２０から吐出されなかった腐食液を前記排出口２６から排出することで、前記腐食液供給管１８の内部圧力が均一となり、前記腐食液供給管１８の内部を通って吐出ノズル２０から吐出される腐食液の流量を一定とすることができる。すなわち、前記腐食液供給管１８の内部を通って吐出ノズル２０から吐出される腐食液の流量を調節することが可能となるのである。【００２９】
また、図２及び図３に示されるように、シリンダ用腐食装置１０には、水洗水２８が水洗水供給管３０内部を通って水洗スプレーノズル３２から水が噴射されることにより、被処理シリンダ１４を水洗するための複数の水洗スプレーノズル３２が設けられている。【００３０】
また、図２及び図３に示されるように、シリンダ用腐食装置１０には、塩酸サブタンク３４内の塩酸が塩酸供給管３６内部を通って塩酸スプレーノズル３８から塩酸が噴射されることにより、被処理シリンダ１４を塩酸洗浄するための複数の塩酸スプレーノズル３８が設けられている。【００３１】
さらに、図３に示されるように、処理槽１２内の腐食液１９は、液レベル計４０で液レベルが監視されている。また、水４２は水供給管４４を介して自動的に適宜供給される。なお、処理槽１２から溢れた液は、回収タンク４６で回収される。【００３２】
また、処理槽１２内の腐食液１９は、フィルター付き吸い込み口４８を介して循環ポンプ５０によって吸い上げられ腐食液供給管１８へと再度送られるように構成されている。
【実施例】
【００３３】
以下に実施例をあげて本発明をさらに具体的に説明するが、これらの実施例は例示的に示されるもので限定的に解釈されるべきでないことはいうまでもない。【００３４】
腐食装置として上記したシリンダ用腐食装置１０と同様の構成の装置を組込んだＮｅｗＦＸ（株式会社シンク・ラボラトリー製全自動レーザ製版システム）を用いて、グラビアシリンダ（製版ロール）を作製した。腐食液として、塩化第二銅濃度１６０ｇ／Ｌ、塩酸濃度３５ｇ／Ｌを含む塩化銅腐食液を使用した。【００３５】
（実施例１）
被処理シリンダとして、円周６００ｍｍ、全長１１００ｍｍのアルミ芯の円筒形基材を用い、被処理シリンダの両端をチャックして腐食槽に装着し、腐食パイプをコンピュータ制御された回動機構により１００ｍｍまで被処理シリンダ側面に近接させ、腐食液をスプレーした。被処理シリンダの回転速度を６０ｒｐｍとし、液温３５℃とした。この条件で深さ２０μｍとなるまで腐食した。腐食処理に要した時間は１２０秒であった。腐食処理されたシリンダの深さをレーザー顕微鏡によって測定した。被処理シリンダの全長にわたって均一な深さの腐食ができた。その後、クロムメッキを施して製版し、グラビアシリンダを製造した。【００３６】
上記した発明の実施の形態においては、グラビアシリンダに対して腐食を施す例について説明したが、本発明はこの例に限定されるものではなく、その他のシリンダ状の被腐食物に対して腐食を行う場合にも同様に適用できる。
【符号の説明】
【００３７】
１０：本発明のシリンダ用腐食装置、１２：処理槽、１４：被処理シリンダ、１６：チャック手段、１８：腐食液供給管、１９：腐食液、２０：吐出ノズル、２１：フレーム、２２：支点、２３：連結ロッド、２４：先端部、２６：排出口、２８：水洗水、３０：水洗水供給管、３２：水洗スプレーノズル、３４：塩酸サブタンク、３６：塩酸供給管、３８：塩酸スプレーノズル、４０：液レベル計、４２：水、４４：水供給管、４６：回収タンク、４８：フィルター付き吸い込み口、５０：循環ポンプ、Ｏ：被処理シリンダの回転中心と吐出ノズルの吐出方向とを結んだ線、Ｐ：被処理シリンダの回転中心からの鉛直線。
【図１】
2015156054.tif 000003
【図２】
2015156054.tif 000004
【図３】
2015156054.tif 000005
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
処理槽と、被処理シリンダを回転可能に長手方向両端を把持して前記処理槽に収容するチャック手段と、前記被処理シリンダの長手方向外周面から所定距離をおいて設けられ、前記長手方向外周面に対して平行とされた少なくとも一つの腐食液供給管と、前記腐食液供給管に並列せしめられ、前記腐食液供給管から腐食液を吐出するための複数の吐出ノズルと、を含み、前記腐食液供給管の内部を通って吐出ノズルから吐出された前記腐食液を前記被処理シリンダの表面に当てて前記被処理シリンダの表面に腐食を施すようにしたシリンダ用腐食装置であって、
前記吐出ノズルを水平方向に対して斜め上向きとし、前記吐出ノズルの吐出方向が、前記被処理シリンダの斜め下から前記被処理シリンダの回転中心に向かうようにされ、前記吐出ノズルが前記被処理シリンダの表面に対して近接離隔可能に設けられてなることを特徴とするシリンダ用腐食装置。
【請求項２】
前記被処理シリンダの回転中心と前記吐出ノズルの吐出方向とを結んだ線が、前記被処理シリンダの回転中心からの鉛直線に対して４５°±１５°であることを特徴とする請求項１記載のシリンダ用腐食装置。
【請求項３】
前記複数の吐出ノズルが並列せしめられた腐食液供給管を、前記被処理シリンダの周方向に複数設け、複数の方向から前記被処理シリンダの回転中心に向かうように、前記腐食液が吐出されてなることを特徴とする請求項１又は２記載のシリンダ用腐食装置。
【請求項４】
前記腐食液供給管の全長が前記被処理シリンダの全長よりも長くされてなり、且つ前記腐食液供給管の先端部が排出口とされてなり、前記腐食液供給管の内部を通る腐食液のうち、前記吐出ノズルから吐出されなかった腐食液を前記排出口から排出してなることにより、前記腐食液供給管の内部を通る腐食液の流量を調節してなることを特徴とする請求項１〜３いずれか１項記載のシリンダ用腐食装置。
【請求項５】
請求項１〜４いずれか１項記載のシリンダ用腐食装置を用いて、前記被処理シリンダの表面に腐食を施すようにしたことを特徴とするシリンダ用腐食方法。
【手続補正２】
【補正対象書類名】明細書
【補正対象項目名】００１４
【補正方法】変更
【補正の内容】
【００１４】
また、本シリンダは、前記シリンダ用腐食方法により腐食されてなることを特徴とする。シリンダとしては、グラビアシリンダが好適である。
【国際調査報告】
2015156054.tif 000006
2015156054.tif 000007
2015156054.tif 000008
2015156054.tif 000009